(57)【要約】【課題】羽根無し攪拌器を提供する。【解決手段】本考案に係る羽根無し攪拌器は、駆動軸の底端側に対応して固定され、また前記駆動軸が駆動装置を介して回転するようにした本体と、前記本体の底端に対応して内向きに凹入成形された吸引槽と、前記本体の外環壁面上に対応して相互に間隔を置いて貫設され、かつ前記吸引槽に連通された複数の排流孔と、前記本体の外環壁面上に形成され、前記本体の外環壁面外径が最大となる区間であり、前記排流孔の上方に対応して位置する環状幅広部と、を備えるように構成される。【選択図】図２
0003179863.tif 000002
【実用新案登録請求の範囲】
【請求項１】
駆動軸の底端側に対応して固定され、また前記駆動軸が駆動装置を介して回転するように構成された本体と、
前記本体の底端に対応して内向きに凹入成形された吸引槽と、
前記本体の外環壁面上に対応して相互に間隔を置いて貫設され、かつ前記吸引槽に連通された複数の排流孔と、を備えることを特徴とする、羽根無し攪拌器。
【請求項２】
さらに前記本体の外環壁面上に形成された環状幅広部を備え、
前記環状幅広部は、前記本体の外環壁面外径が最大となる区間であり、前記排流孔の上方に対応して位置することを特徴とする、請求項１記載の羽根無し攪拌器。
【請求項３】
前記本体は、断面が環状を呈する長形ブロック体であることを特徴とする、請求項１記載の羽根無し攪拌器。
【請求項４】
前記本体は、上端側にロック孔が設けられることを特徴とする、請求項１記載の羽根無し攪拌器。
【請求項５】
前記吸引槽が長形槽であり、かつ槽型断面が環状を呈することを特徴とする、請求項１記載の羽根無し攪拌器。
【請求項６】
前記排流孔が相互に等狭角を呈するように配置されることを特徴とする、請求項１記載の羽根無し攪拌器。
【請求項７】
前記排流孔の数量が４個であることを特徴とする、請求項１記載の羽根無し攪拌器。
【考案の詳細な説明】
【技術分野】
【０００１】
本考案は、羽根無し攪拌器に係り、特に、回転する羽根を用いて液状物を攪拌する攪拌装置を代替するものに関する。
【背景技術】
【０００２】
一般的に、公知技術において応用されている攪拌器は、主に回転軸を介して複数の攪拌羽根を駆動することにより、液槽中の液体を連動して回動するように構成され、各種の羽根または羽根車を介して面接触で流体を流れ方向に連動させる。
【０００３】
しかしながら、上記方式により攪拌を行うと、空洞現象が生じやすくなり、液体中に気泡を発生することにつながる。こうして、液体中に気泡を帯びたことを避ける必要がある場合には、引き続き液体に対して気泡を除去する処理を行う必要が生じてしまう。また、一般的な攪拌器が転動中に操作の不注意が起きた時に、攪拌器が損傷するおそれがあり、この場合には、さらに人員に傷害を与えてしまう可能性がある。一方、攪拌待ちの液体に顆粒物が存在する時に、羽根付き型の攪拌器が一定期間の使用を経た後に、羽根が破損してしまう等の不具合があった。
【０００４】
従って、上記の問題点を概観し、本考案の考案者より、羽根無し攪拌器を熟考して設計することにより、公知技術の欠点を改善するとともに、産業上の実施利用の促進を図ることを目指している。
【考案の概要】
【考案が解決しようとする課題】
【０００５】
前述した公知技術の不足点を鑑みて、本考案は、新規性、進歩性及び産業上の利用可能性などの実用新案登録要件を満たしており、公知技術の難所を克服し得る羽根無し攪拌器を提供することを目的とする。
【課題を解決するための手段】
【０００６】
上記目的を達成するために、本考案が採用されている技術手段は、羽根無し攪拌器を設計することである。
【０００７】
この羽根無し攪拌器は、  駆動軸の底端側に対応して固定され、また前記駆動軸が駆動装置を介して回転するようにした本体と、前記本体の底端に対応して内向きに凹入成形された吸引槽と、前記本体の外環壁面上に対応して相互に間隔を置いて貫設され、かつ前記吸引槽に連通された複数の排流孔と、を備えるように構成される。
【０００８】
その内、前記羽根無し攪拌器は、さらに前記本体の外環壁面上に形成された環状幅広部を備え、前記環状幅広部は、前記本体の外環壁面外径が最大となる区間であり、前記排流孔の上方に対応して位置する。なお、前記本体は、断面が環状を呈する長形ブロック体である。また、前記本体は、上端側にロック孔が設けられる。そして、前記吸引槽が長形槽であり、かつ槽型断面が環状を呈する。さらに、前記排流孔が相互に等狭角を呈するように配置される。またさらに、前記排流孔の数量が４個であってもよい。
【考案の効果】
【０００９】
本考案の羽根無し攪拌器によれば、設計上では、構造の変更によって、発生された遠心力により液体を前記吸引槽から吸入することが可能となり、この場合、液受け桶の底部に配置した後に、駆動して回転させることで、伝統的な羽根付き攪拌器の替わりに、液受け桶内において、排出水流により回転渦流を引き起こすことができる。また、本考案によれば、攪拌過程中で、空洞現象の発生を減少することができ、気泡の発生を減少させる効果が得られる。かつ、より高い使用安全性を有し、しかも液体中に顆粒がある時に、長期間の使用に亘っても伝統的な攪拌器による羽根が破壊してしまう問題の発生を避けることができ、これによって使用者に高度な使用利便性が提供される。
【００１０】
なお、上述した目的と、技術的特徴と、実際に実施することによって達成される利益性とを十分に理解するために、以下、好ましい実施形態を例示しているので、対応する関連図面に基づき詳細に説明する。
【図面の簡単な説明】
【００１１】
【図１】本考案の羽根無し攪拌器の外観図である。
【図２】本考案の羽根無し攪拌器の側面断面図である。
【図３】本考案の羽根無し攪拌器の実施例を示す図である。
【図４】本考案の羽根無し攪拌器の変形実施例を示す外観図である。
【図５】本考案の羽根無し攪拌器の他の変形実施例を示す外観図である。
【考案を実施するための形態】
【００１２】
本考案をより完全に理解するために、本考案の創作特徴、内容と利点及び達成できる効果については、添付図面を参照して、実施例の表現形式で以下のように詳細に説明される。しかし、図示された図面は、単に例示または明細書内容を補助することを目的としたものであって、本考案の実施後の原寸に比例したものや精確に配置したものには何ら拘束されない。よって、図示された図面は、添付図面の比例と配置関係で解釈されてはならず、本考案を実際に実施する範囲に制限することを意図したものではない。
【００１３】
本考案の利点、特徴及び達成する技術方法を例示した実施例及び添付した図面に基づき更に詳細に説明することにより、本考案がより容易に理解されよう。また、本考案が異なる形式で実施されるので、ここに述べる実施例に限定されるものと解釈すべきではない。むしろ、これらの実施例は、本開示が徹底的で完全となり、そして本考案が属する技術分野における通常の知識を有する者に対して本考案の範疇を全面的かつ十分に伝えられるように提供される。なお、本考案の範囲は、添付の請求の範囲によって定義される。
【００１４】
特に定義しない限り、本明細書で使用するすべての用語（技術用語および科学用語を含む）と専門用語は、実質上、本考案が属する技術分野における通常の知識を有する者が一般的に理解する意味と同じ意味を有する。さらに、例えば、一般的に使用される辞書に定義されているような用語は、関連技術及び本明細書の文脈でそれらの意味と矛盾しない意味を有するものと解釈すべきであり、本明細書で明示的に定義しない限り、過度に理想的或いは過度に形式的な意味で解釈されてはならい、ということも理解して頂きたい。
【００１５】
図１ないし３に示すように、本考案に係る羽根無し攪拌器を参照する。本考案の好ましい実施態様においては、本体（１０）と、吸引槽（２０）と、複数の排流孔（３０）と、環状幅広部（４０）と、を備えるように構成される。
【００１６】
前述した本体（１０）は、断面が環状を呈する長形ブロック体であり、かつ駆動軸（９０）の底端側に対応して固定され、また前記駆動軸（９０）が駆動装置（例えば、モーター）を介して回転するように構成し、前記本体（１０）は、上端側にロック孔（１１）が設けられてもよく、このロック孔（１１）を前記駆動軸（９０）上に套設することによって固定されるようになっている。
【００１７】
前述した吸引槽（２０）は、前記本体（１０）の底端に対応して内向きに凹入成形され、それが長形槽であってもよく、かつ槽型断面が環状を呈し、その結果、回転時において、前記吸引槽（２０）から水流を汲み入れる機能が達成される。
【００１８】
前述した排流孔（３０）は、前記本体（１０）の外環壁面上に対応して相互に間隔を置いて貫設され、かつ前記吸引槽（２０）に連通されており、かつ前記吸引槽（２０）の上端側に対応することができ、その内、前記排流孔（３０）の数量が４個であってもよく、相互に等狭角（等しい間隔で挟むように設けた角度）を呈するように配置されでも良い、そうすると、回転時において、前記吸引槽（２０）に入れた水流を螺旋状に排出することが可能になり、渦流を引き起こすことができる。
【００１９】
前述した環状幅広部（４０）は、前記本体（１０）の外環壁面上に形成され、それが前記本体（１０）の外環壁面外径が最大となる区間であり、かつ前記排流孔（３０）の上方に対応して位置することにより、水流を案内する機能が達成される。
【００２０】
さらに、図４と図５を参照して、これらの図に示された変形実施例も、本考案の創作精神に含まれるものである。ただし、外形変更により成形された他の変化形態の実施例では、その応用原則として、攪拌待ちの液体の粘稠度が高い場合、前記本体（１０）の外形がより円滑となる必要がある。唯、異なる流体特性に応じて、如何なる外形の変化に拘わりなく、本考案で開示した構造関係に基づき、製作される攪拌器構造であれば、何れも本考案の範疇に属するものであることを、理解されるべきである。
【産業上の利用可能性】
【００２１】
本考案に係る羽根無し攪拌器の設計上の発想によれば、構造の変更を応用することによって、発生された遠心力により液体を前記吸引槽（２０）から吸入することが可能となり、この場合、液受け桶（８０）の底部箇所に配置した後に、駆動して回転させることで、伝統的な羽根付き型攪拌器の替わりに、液受け桶内（８０）において、排出水流により回転渦流を引き起こすことができる。また、本考案によれば、攪拌過程中で、空洞現象の発生を減少することができ、気泡の発生を減少させる効果が得られる。かつ、より高い使用安全性を有し、しかも液体中に顆粒がある時に、長期間の使用に亘っても伝統的な攪拌器による羽根が破壊してしまう問題の発生を避けることができる。これによって使用者に高度な使用利便性が提供される。この点は、公知技術では及ばないことが分かる故、本考案が効果向上性を有することは明らかである。
【符号の説明】
【００２２】
１０  本体、
１１  ロック孔、
２０  吸引槽、
３０  排流孔、
４０  環状幅広部、
８０  液受け桶、
９０  駆動軸。
【図１】
0003179863.tif 000003
【図２】
0003179863.tif 000004
【図３】
0003179863.tif 000005
【図４】
0003179863.tif 000006
【図５】
0003179863.tif 000007